(57)【要約】【課題】従来の不凍水栓柱は、給水と排水を切り換える切換えバルブによって水抜きによる凍結防止に対応しているが、排水孔通水路開閉部に設定されたＯリングの故障により水漏れが発生しても地中に埋設されているため外部からは発見し難く、水漏れによる排水が地中に垂れ流し状態で継続してしまう問題がある。【解決手段】排水機構への通水路を開閉するシール機構部とその下部に給水側への通水路を開閉するシール機構部とを備えた切換えピストン３Ｂを設け、排水機構通水路開閉部に水漏れが発生すると、給水路を開閉するシール機構３ｄが上昇して排水機構に連通する給水路２２ｅを閉塞するように構成した。【選択図】図６
2006274699.tif 000002
【特許請求の範囲】
【請求項１】
外筒頂部のキャップハンドルの回動によって上下作動するピストンロッドの上部側に空気流入路を開閉する吸気ピストンを設け、下部に排水機構への通水路を開閉するシール機構部とその下部に給水路への通水路を開閉するシール機構部とを備えた切換えピストンを設けたピストンロッドを、外筒内に嵌装されて下端が給水管に連絡し、側部にブッシングと排水機構を設けた支持胴内に設定したことを特徴とする自動止水不凍水栓柱
【請求項２】
ピストンロッドの下部に設ける排水機構への通水路を開閉するシール機構部の上部に切換えピストン案内枠の上端をシールするシール機構部、給水路への通水路を開閉するシール機構部の下部に切換えピストン下端を支持する案内枠の周壁との間隙をシールするシール機構部を設けると共に、切換えピストンにその下端から排水機構通水路に連通する圧抜孔を設定したことを特徴とする請求項１記載の自動止水不凍水栓柱
【発明の詳細な説明】
【技術分野】
【０００１】
本発明は、寒冷地において水抜きをして凍結を防止する不凍水栓柱であって、水漏れが発生した場合に自動的に止水作動が行われるようにした自動止水不凍水栓柱に関するものである。
【背景技術】
【０００２】
従来、不凍水栓柱は、例えば特許文献１に記載されるように給水と排水を切り換える切換えバルブによって水抜きによる凍結防止に対応してきたものの、最も発生し易い排水機構通水路開閉部をシールするＯリングの摩耗等による水漏れに対する対応はなされていない。
【特許文献１】特開２００４−２７５６７号公報
【発明の開示】
【発明が解決しようとする課題】
【０００３】
しかしながら、万一、排水孔通水路開閉部に設定されたＯリングの故障により水漏れが発生した場合、地中に埋設された排水孔から水漏れによる排水が地中に垂れ流し状態で継続するため外部からは発見し難く、メーターだけが上がってユーザーに多大の迷惑を及ぼしたり、トラブルの原因となったりする。
【課題を解決するための手段】
【０００４】
本発明は上記した問題点に対応しようとするものであり、排水機構への通水路を開閉するシール機構部とその下部に給水側への通水路を開閉するシール機構部とを備えた切換えピストンを設け、排水機構通水路開閉部をシールするＯリングの摩耗等による水漏れが発生しても、給水路を開閉するシール機構が上昇して排水機構に連通する給水路を閉塞して水漏れを阻止するように構成した。
【０００５】
即ち、水漏れが発生すると排水機構への給水が継続され給水側の水圧は維持されるが、ブッシングに取り付けられた蛇口への給水圧が低下するので自動的に給水側の水圧が切換えピストンを押し上げ、給水路を開閉するシール機構が排水機構に連通する給水路を閉塞止水するものである。
【０００６】
給水側への通水路が閉塞止水されるので、蛇口への給水も停止されてユーザー自身によって水漏れの発生を感知して対応することができ、長時間に渡って排水が地中に垂れ流し状態となることを確実に防止することができる。
【０００７】
更に、ピストンロッドの下部に設ける排水機構への通水路を開閉するシール機構部の上部に切換えピストン案内枠の上端をシールするシール機構部、給水路への通水路を開閉するシール機構部の下部に切換えピストン下端を支持する案内枠の周壁との間隙をシールするシール機構部を設け、ピストンと案内枠の水密性を補完し切換えピストンの作動を安定させるようにした。
【０００８】
また、切換えピストンにその下端から排水機構通水路に連通する圧抜孔を設定して切換えピストン下端を支持する案内枠の内部に発生する内圧を排水機構通水路に逃がして切換えピストンの上下作動が円滑に行われるようにした。
【実施例】
【０００９】
以下、図面を参照して本発明の実施例を説明する。１は水栓柱の外筒で、頂部にキャップハンドル１１が回動可能に覆着され、内部には下端が給水管に連絡し、側部にブッシング２１と排水機構２２を設けた支持胴２が嵌装され、更に、支持胴２内にキャップハンドル１１の回動によって上下作動するピストンロッド３が嵌装されている。
【００１０】
キャップハンドル１１には、ハンドル軸１２がハンドル受け１４を介してビス１３、ハンドル軸押さえ１６によってスペーサー１８を挟んで固定される。
ハンドル軸１２は下端部がピストンロッド３の頂部を挿嵌する挿嵌孔１５となっており、上端部周壁には対向して設けられ、貫通位置が回動に従って移動して螺旋斜行する一対の案内溝穴１７ａ、１７ｂが形成されている。
【００１１】
挿嵌孔１５に上下作動スペース１５ａを残して挿嵌されたピストンロッド３の頂部には、支持胴２の上部継手体２Ａの上端部周壁に対向して設けられた縦溝２３、２３と上記案内溝穴１７ａ、１７ｂを貫通して平行ピン３１が打ち込まれている。
【００１２】
キャップハンドル１１が回動されると、上部継手体２Ａの縦溝２３、２３によって上下方向に位置固定された平行ピン３１が、ハンドル軸１２の回動によってハンドル軸１２だけが回動し、平行ピン３１は上下方向に位置固定されて回動できないため案内溝穴１７ａ、１７ｂの貫通位置の移動に強制案内されて上昇若しくは下降し、ピストンロッド３の上下作動が行われる。
【００１３】
支持胴２は、ブッシング２１を設定した上部継手体２Ａと排水機構２２を設定した下部継手体２Ｂによって構成され、管端コア２４を介して鋼管２Ｃで連結されると共に、鋼管２Ｃの外周には保温材２５が覆着され内部にピストンロッド３が嵌装される。
【００１４】
ピストンロッド３は、上部に平行ピン３１が設定され下部が空気流入路を開閉する吸気ピストン３２に構成された上部ピストン３Ａと切換えピストン３Ｂをロッド３３で連結して構成されており、切換えピストン３Ｂには切換えピストン案内枠２６の上端をシールするシール機構部３ｂ、排水機構への通水路を開閉するシール機構部３ｃ、給水路への通水路を開閉するシール機構部３ｄ、切換えピストン下端を支持する案内枠２７の周壁との間隙をシールするシール機構部３ｅが設けられ、各シール機構部にはそれぞれＯリング４が嵌装されている。
【００１５】
更に、切換えピストン３Ｂには、その下端から排水機構通水路に連通する圧抜孔３４が設定されて案内枠２７内を切換えピストンが上下作動することにより発生する内圧を排水機構通水路に抜くようになっている。
【００１６】
排水機構２２は、上端をキャップ２２ａで閉鎖すると共に、側部に排水孔２２ｂが開口しボール逆止弁２２ｃが嵌装され排水孔等からの逆流が防止されるようになっている。
【００１７】
このように構成された不凍水栓柱は、常時はピストンロッド３が下降した状態となっており、吸気ピストン３２のシール機構部３ａが吸気間隙を、シール機構部３ｃが排水機構への通水路２２ｄをそれぞれ閉塞しているので、ブッシング２１に取り付けられた蛇口（図示しない。）が開栓されると、水は上部からの気圧を受けることなく、本管からの給水圧により支持胴２の下端給水口２８から切換えピストン案内枠２６脇の通水路２９を通り蛇口から出水される。
【００１８】
凍結を避けるため水栓柱内の残留水を抜くときには、キャップハンドル１１を４５度回動して平行ピン３１を案内溝穴１７ａ、１７ｂの中間貫通位置に持って行くと、ピストンロッド３の上昇によりシール機構部３ｄが排水機構への通水路２２ｄと通水路２９に通ずるゲート通水路２２ｅを閉塞し、先ず、本管からの給水が停止される。
【００１９】
更に、４５度回動して平行ピン３１を案内溝穴１７ａ、１７ｂの上死点にもって行くことにより、ピストンロッド３を更に上昇させれば、シール機構部３ｃが排水機構への通水路を開放し、同時に吸気ピストン３２のシール機構部３ａが吸気間隙を開放するので、残留水は上部からの気圧を受けて排水機構に流入し排水孔２２ｂから排水される。
【００２０】
通常の作動は以上の通りであるが、ここで最も摩耗したり外れたりし易いシール機構部３ｃのＯリングが脱落等によりシール機能が低下した場合について説明すると、給水口２８からの給水圧は通水路２９にも抜けるが、同時にシール機構部３ｃを通過して排水機構からの排水も発生する。
【００２１】
シール機構部３ｃからの漏水は吸気ピストン３２が吸気路を閉鎖しているときにしか発生しないから、蛇口が閉栓されると給水圧はシール機能が低下した排水機構２２側に集中し、切換えピストン上部側の水圧が低下するので、シール機能の保持されるシール機構部３ｂに水圧が掛りピストンロッド３を押し上げる。
【００２２】
ピストンロッド３が押し上げられると、シール機構部３ｄがせり上がって排水機構への通水路２２ｄと通水路２９に通ずるゲート通水路２２ｅを閉塞し、本管からの給水が阻止されて自動的に止水が行われるものである。
【００２３】
本発明は以上のように構成したので、従来、発見し難くいため対応が遅れて地中に水道水を無駄に流す結果を招いていた水漏れに対応して、水漏れが発生すると自動的に給水路が閉鎖され止水して節水を図ることができたものである。
【図面の簡単な説明】
【００２４】
【図１】本発明による自動止水不凍水栓柱の実施例を示すもので、中央胴部分を省略して全体を縦断面とした全体構造側面図である。
【図２】同じく、自動止水不凍水栓柱の全体外観図
【図３】同じく、キャップハンドルの回動とピストンロッドの上下作動の関係を示す構造部材の分解斜視図である。
【図４】同じく、ハンドル軸とピストンロッド頂部、支持胴の上部継手体嵌合状况を示す構造部材の分解斜視図である。
【図５】同じく、螺旋斜行案内溝穴の対向する溝穴を透視図として設定状况を示すハンドル軸単体の側面図である。
【図６】同じく、切換えピストンの下降状態における作動状况を示す、不凍水栓柱先端部の縦断面側面図である。
【図７】同じく、切換えピストンの排水機構通水路開閉シール機構部のシール不良によりピストンが上昇し、給水路への通水路開閉シール機構部が排水機構への通水路と蛇口通水路へのゲート通水路を閉塞した状况を示す、不凍水栓柱先端部の縦断面側面図である。
【符号の説明】
【００２５】
１      水栓柱の外筒
１１      キャップハンドル
１２      ハンドル軸
１３      ビス
１４      ハンドル受け
１５      ハンドル軸のピストンロッド挿嵌孔
１５ａ    挿嵌孔のピストンロッド上下作動スペース
１６      ハンドル軸押さえ
１７ａ    螺旋斜行案内溝穴
１７ｂ    螺旋斜行案内溝穴
１８      スペーサー
２      支持胴
２Ａ      支持胴の上部継手体
２Ｂ      支持胴の下部継手体
２Ｃ      支持胴の上下継手体を連結する鋼管
２１      ブッシング
２２      排水機構
２２ａ      排水機構上端キャップ
２２ｂ      排水機構の排水口
２２ｃ      排水機構のボール逆止弁
２２ｄ      排水機構への通水路
２２ｅ      排水機構への通水路と蛇口通水路へのゲート通水路
２３      平行ピン係止縦溝
２４      管端コア
２５      保温材
２６      切換えピストン案内枠
２７      切換えピストン下端を支持する案内枠
２８      支持胴の下端給水口
２９      切換えピストン案内枠脇の通水路
３      ピストンロッド
３Ａ      上部ピストン
３Ｂ      切換えピストン
３ａ      吸気ピストンシール機構部
３ｂ      切換えピストン案内枠上端シール機構部
３ｃ      排水機構通水路開閉シール機構部
３ｄ      給水路への通水路開閉シール機構部
３ｅ      切換えピストン下端支持案内枠周壁の間隙のシール機構部
３１      平行ピン
３２      吸気ピストン
３３      上部ピストンと切換えピストンを連結するロッド
３４      切換えピストン下端支持案内枠内圧圧抜孔
４      Ｏリング弁
【図１】
2006274699.tif 000003
【図２】
2006274699.tif 000004
【図３】
2006274699.tif 000005
【図４】
2006274699.tif 000006
【図５】
2006274699.tif 000007
【図６】
2006274699.tif 000008
【図７】
2006274699.tif 000009